(57)【特許請求の範囲】
【請求項１】
インターネットプロトコルを有する通信網を介して相互に接続され、呼を１つのパケットに多重化して送受信する網接続装置において、
当該呼の送信先網接続装置及び符号化方式による属性毎に多重化リンクが設定され、該属性毎に、１つの多重化リンクに多重化することができる呼の接続可能数が決定されており、前記複数の多重化リンクによって多重化リンク群を構成しており、
前記多重化リンク群内について、当該呼の属性に対応する多重化リンクが設定されていない場合、又は当該呼の属性に対応する多重化リンクが設定されているが、当該呼を接続すると接続可能数を越える場合には、その属性の多重化リンクを設定する多重化リンク設定手段と、
前記多重化リンク群内について、接続される呼の数が零となった前記多重化リンクが存在する場合、該多重化リンクを解放する多重化リンク解放手段と
前記多重化リンク群内について、当該呼の通信中における呼種の変更によって符号化方式が変更されるとき、当該呼を、その符号化方式に対応する属性の多重化リンクへ再配置する再配置手段と
を有することを特徴とする網接続装置。
【請求項２】
インターネットプロトコルを有する通信網を介して相互に接続され、呼を１つのパケットに多重化して送受信する網接続装置において、
当該呼の送信先網接続装置及び符号化方式による属性毎に多重化リンクが設定され、該属性毎に、１つの多重化リンクに多重化することができる呼の接続可能数が決定されており、前記複数の多重化リンクによって多重化リンク群を構成しており、
前記多重化リンク群内について、当該呼の属性に対応する多重化リンクが設定されていない場合、又は当該呼の属性に対応する多重化リンクが設定されているが、当該呼を接続すると接続可能数を越える場合には、その属性の多重化リンクを設定する多重化リンク設定手段と、
前記多重化リンク群内について、接続される呼の数が零となった前記多重化リンクが存在する場合、該多重化リンクを解放する多重化リンク解放手段と
前記多重化リンク群内について、同じ属性の多重化リンクが複数存在する場合に、当該多重化リンク内に接続された呼の数が所定の個数以下ならば、該呼を、前記同じ属性の他の多重化リンクに再配置する再配置手段と
を有することを特徴とする網接続装置。
【請求項３】
前記呼は、前記多重化リンク群毎に付与された多重化リンク群識別子と、該多重化リンク群内で一意に決まる呼番号とから識別されることを特徴とする請求項１又は２に記載の網接続装置。
【発明の詳細な説明】
【０００１】
【発明の属する技術分野】
本発明は、インターネットプロトコル（以下「ＩＰ」と称す）を有する通信網を介して相互に接続され、呼を１つのパケットに多重化して送受信する網接続装置（以下「ゲートウェイ」と称す）に関する。
【０００２】
【従来の技術】
図１は、ゲートウェイを用いたシステム構成図である。複数のゲートウェイは、一方を共有するインターネットに接続し、他方を電話網のような回線交換網（音声、音声データ又はＦＡＸ等の呼を対象とする）又はＬＡＮ／インターネット等に接続している。従って、ゲートウェイ内に符号化／復号化手段を備える必要がある。
【０００３】
同一出願人による特開平１１−１２２３０７号「網接続装置」には、送信先が同一である複数の呼を送信する際に、当該複数の呼の情報信号を１つのＩＰパケットに多重化して送信することができる装置が開示されている。
【０００４】
図２は、従来技術によるゲートウェイの構成図である。送信側ゲートウェイは、音声／音声データ／ＦＡＸ等の呼毎に符号化し、その符号化された情報を１つのＩＰ（具体的にはＲＴＰ(Realtime Transport Protocol)）パケットのペイロードに多重化して送信する。一方、受信側ゲートウェイは、ペイロードを呼毎に分解し、分解されたショートパケットペイロード毎に復号化し、所定のトランク回線へ送信する。
【０００５】
図３は、ＩＰパケットの構成図である。各ショートパケットには、呼番号と符号化方式識別子とが付加されており、受信側ゲートウェイは、これらに基づいてショートパケットへの分解を行う。
【０００６】
ゲートウェイは、このようなパケットの組立及び分解のために、多重化リンク監視手段が設けられ、その手段の中に、以下のような各種テーブルを用意している。
【０００７】
テーブル＃１は、呼毎の符号化方式を表した管理テーブルである。多重化リンク監視手段は、呼毎に呼種を監視して、このテーブル＃１を更新する。
【０００８】
【表１】
0003687471.tif 000002
【０００９】
テーブル＃２は、送信先網接続装置毎の多重化リンクと、該多重化リンクに接続された呼番号との関係を示す管理テーブルである。テーブル＃２は、送信側ゲートウェイのパケット組立部と、受信側ゲートウェイのパケット分解部とによって参照される。
【００１０】
【表２】
0003687471.tif 000003
【００１１】
テーブル＃２によれば、送信側ゲートウェイのＵＤＰポート番号（Ｓ−ＰＮ）と、受信側ゲートウェイのＩＰアドレス（Ｒ−ＩＰＡ）及びＵＤＰポート番号（Ｒ−ＰＮ）との対となる関係を表し、この対毎に多重化リンクが設定される。
【００１２】
また、呼をＩＰパケットに多重化する方式として、呼に適用される符号化方式に応じて個別のＲＴＰパケットストリーム（多重化リンクに相当）に多重化する方式がある。
【００１３】
【発明が解決しようとする課題】
しかしながら、従来のゲートウェイでは、接続中の個数に応じて多重化リンクを自動的に設定・解放する手段がないため、多重化リンクを事前に設定するための無駄があったり、人手により管理する等の手間が必要となっていた。また、従来のゲートウェイは、接続中の呼の呼種の変化、即ち符号化方式の変更がある場合には、接続したまま多重化リンクを変更することが困難であり、多重化されたＩＰパケットの送出タイミング又は送出数の最適化が困難であった。
【００１４】
そこで、本発明は、呼の多重化に適した構成を有し、呼接続中の呼種の変化による符号化方式の変更、又は多重化効率の最適化に対応できるゲートウェイを提供することを目的とする。
【００１５】
【課題を解決するための手段】
本発明は、インターネットプロトコルを有する通信網を介して相互に接続され、複数の呼の信号情報を１つのパケットに多重化して送受信する網接続装置に関する。本発明の網接続装置によれば、
当該呼の送信先網接続装置及び符号化方式による属性毎に多重化リンクが設定され、該属性毎に、１つの多重化リンクに多重化することができる呼の接続可能数が決定されており、複数の多重化リンクによって多重化リンク群を構成しており、
多重化リンク群内について、当該呼の属性に対応する多重化リンクが設定されていない場合、又は当該呼の属性に対応する多重化リンクが設定されているが、当該呼を接続すると接続可能数を越える場合には、その属性の多重化リンクを設定する多重化リンク設定手段と、
多重化リンク群内について、接続される呼の数が零となった多重化リンクが存在する場合、該多重化リンクを解放する多重化リンク解放手段と
多重化リンク群内について、当該呼の呼種の変更によって符号化方式が変更されるとき、当該呼を、その符号化方式に対応する属性の多重化リンクへ再配置する再配置手段とを有することを特徴とする。これにより、多重化効率の最適化に効果がある。尚、多重化リンク解放手段は、当該多重化リンクの呼が無くなった時点から所定時間Ｔの間に、新しい呼が配置されない場合に、当該多重化リンクを解放するように構成されていることも好ましい。
【００１６】
また、本発明の網接続装置によれば、当該呼の送信先網接続装置及び符号化方式による属性毎に多重化リンクが設定され、該属性毎に、１つの多重化リンクに多重化することができる呼の接続可能数が決定されており、複数の多重化リンクによって多重化リンク群を構成しており、
多重化リンク群内について、当該呼の属性に対応する多重化リンクが設定されていない場合、又は当該呼の属性に対応する多重化リンクが設定されているが、当該呼を接続すると接続可能数を越える場合には、その属性の多重化リンクを新たに設定する多重化リンク設定手段と、
多重化リンク群内について、接続される呼の数が零となった多重化リンクが存在する場合、該多重化リンクを解放する多重化リンク解放手段と
多重化リンク群内について、同じ属性の多重化リンクが複数存在する場合に、当該多重化リンク内に接続された呼の数が所定の個数以下ならば、該呼を、同じ属性の他の多重化リンクに再配置する再配置手段とを有することを特徴とする。これにより、多重化リンクの解放及び設定の頻度を減らすことができる。
【００１７】
また、呼は、多重化リンク群毎に付与された多重化リンク群識別子と、該多重化リンク群内で一意に決まる呼番号とから識別されることも好ましい。これにより、複数の多重化リンク群同士で同じ呼番号を用いることができるので、ショートパケットヘッダの呼番号を示すビット数を節約することができる。多重化リンク群を構成せずに、多重化リンク識別子と呼番号とで呼を識別する場合に、呼を多重化リンク間で再配置しようとすると、何れの多重化リンクに再配置するかを送信側装置と受信側装置とで認識し合う必要があり、このためのプロトコルシーケンスが必要となる。このような段階を必要としないために、多重化リンク群の概念を導入し、呼の再配置を同一多重化リンク群内の多重化リンク間でのみ行うようにしている。従って、本発明によれば、呼を他の多重化リンクに再配置する際に、送信側ゲートウェイで一方的に再配置をするだけで、受信側ゲートウェイでこれを認識することができる。
【００２０】
【発明の実施の形態】
以下では、図面を用いて、本発明の実施形態を詳細に説明する。
【００２１】
図４は、本発明によるゲートウェイの構成図である。ゲートウェイは、基本的に、呼制御部とデータ送受信部とに分けられる。呼制御部は、多重化リンク監視手段７、多重化リンク設定・解放制御部８及び多重化リンク間呼再配置指示手段９を有する。データ送受信部は、トランク回線Ａ、通話分配機能部４、多重化リンク用符号・復号化部５及び多重化リンク用パケット送受信部６を有する。
【００２２】
多重化リンク監視手段７は、呼状態管理部１及び多重化リンク情報管理部２を有する。呼状態管理部１は、呼識別子と当該呼の呼種の符号化方式とを対応させた、前述のテーブル＃１を有する。多重化リンク情報管理部２は、以下のようなテーブル＃３及びテーブル＃４を有する。
【００２３】
テーブル＃３は、複数の多重化リンクと多重化リンク群との関係を示す管理テーブルである。
【００２４】
【表３】
0003687471.tif 000004
【００２５】
テーブル＃４は、多重化リンク毎に、多重化リンク属性番号と、該多重化リンクに接続された呼番号との関係を示す管理テーブルである。
【００２６】
【表４】
0003687471.tif 000005
【００２７】
テーブル＃４は、前述したテーブル＃２と比較して、多重化リンク毎に、送信先ゲートウェイ及び符号化方式による多重化リンク属性識別子と、接続している呼の数である同時接続呼数と、その属性で１つの多重化リンクに多重化することができる呼の最大同時接続呼数とを含んでいる。これにより、多重化効率の最適化に対応できることが後段に説明されている。
【００２８】
通話分配機能部４は、トランク回線３に到着した呼番号（トランク番号）と呼種とを、多重化リンク監視手段７の呼状態管理部１へ通知する。呼状態管理部１は、当該呼種に対応する符号化方式を決定し、テーブル＃１に示す呼番号と符号化方式との対応関係を決定する。この結果は、通話分配機能部４に通知され、該通話分配機能部４は、当該呼の符号化方式を接続可能な多重化リンクの中で、若い多重化リンク識別番号のリンクに当該呼を割り当てる。
【００２９】
符号・復号化部５及びパケット送受信部６は、多重化リンク単位に用意される。即ち、多重化リンク毎に、多重化リンク属性が決定され、多重化リンク属性識別番号が決められている。
【００３０】
また、複数の多重化リンクを接続して、多重化リンク群を設定することもできる。これにより、呼に対応する回線の識別は、「多重化リンク群識別番号」と、その多重化リンク群内で割当てられた「呼番号」とによって行われ、異なる多重化リンク群の中で同じ呼番号空間を利用することができる。
【００３１】
呼番号は、送信側ゲートウェイのトランク回線番号とは独立に設定し、動的に対応付けることもできる。これには、当該呼のトランク回線番号と、多重化リンク群番号及び呼番号との組合せ情報を、送信側ゲートウェイの呼状態管理部１から受信側ゲートウェイの呼状態管理部１へ通知し、両者で整合させる必要がある。このとき、送信側ゲートウェイは、受信側ゲートウェイからの確認信号を受信した後に、当該呼の通話信号を多重化リンクに送出し始める。これにより、受信側ゲートウェイでは、多重化リンクで受信されるショートパケットを適切なトランク回線から送信することができる。
【００３２】
また、送信側ゲートウェイと受信側ゲートウェイとの間で、トランク回線毎に、多重化リンク群識別番号と呼番号との組み合わせを固定的に対応させることもできる。これにより、送信側ゲートウェイの呼状態管理部１から受信側ゲートウェイの呼状態管理部１への通知を省略することができる。即ち、入トランク回線番号と、多重化リンク群番号及び呼番号と、出トランク回線番号との対応が、固定的に決められているため、新しい呼の到着ごとにこれらの番号間の対応をとる必要がなく、処理効率が向上する．
【００３３】
次に、多重化リンクの再配置について説明する。
【００３４】
多重化リンクの再配置が必要となる場合として、呼接続中に当該呼の符号化方式が変更された場合（例えば音声呼からＦＡＸ呼へ変更された）、又は多重化リンクを最適化したい場合（例えば少数の呼しか接続していない、同じ属性の多重化リンクが複数存在する）とがある。前者の場合は、多重化リンク毎に符号化方式が決定されているために、他の符号化方式の多重化リンクへ当該呼を再配置する必要がある。また、後者の場合、多重化の効果を軽減させてしまうばかりか、ＵＤＰポート等の限られた網資源を無駄に消費することとなり、効率的な網の利用を阻害することとなるので、多重化リンク群内の全体に渡って、呼の再配置をする必要がある。
【００３５】
多重化リンク間呼再配置指示手段９は、テーブル＃５を有しており、他の多重化リンクへ再配置を判断する。テーブル＃５は、多重化リンク属性番号と最大同時接続呼数との関係を表している。従って、新しく発生した呼を割り当てようとした多重化リンクの同時接続呼数が、最大同時接続呼数に達している場合は、同一属性の他の多重化リンクを設定する必要がある。
【００３６】
【表５】
0003687471.tif 000006
【００３７】
同じ属性の多重化リンクが複数接続されており、その多重化リンクに接続されている呼の数がＭ個以下となったとき、多重化リンクの呼の全体に渡って再配置が指示される。所定の個数であるＭ個は、同じ属性を持つ多重化リンクがＸ本接続されており、当該多重化リンクの接続可能な呼の個数がＹ個であった場合、Ｍ＝Ｙ／Ｘで求めることも好ましい。
【００３８】
多重化リンク間呼再配置指示手段９は、当該呼の再配置先の多重化リンクを決定し、その結果を通話分配機能部４と、多重化リンク監視手段７とに通知する。また、再配置によって、接続している呼がなくなった多重化リンクは、多重化リンク設定・解放手段８によって切断される。この多重化リンク設定・解放の情報は、多重化リンク監視手段７に通知される。
【００３９】
呼の再配置を指示された通話分配機能部４は、当該呼のショートパケットを再配置先の多重化リンクに格納し、多重パケットを受信側ゲートウェイへ送信する。
【００４０】
受信側ゲートウェイでは、多重化リンク用パケット受信部６で受信したショートパケットヘッダ部を多重化リンク監視手段７が、呼番号及び符号化方式識別子を取得する。このとき、送信側ゲートウェイと受信側ゲートウェイとの間で、トランク回線毎に、多重化リンク群識別番号と呼番号との組み合わせが固定的に対応させられていれば、受信側ゲートウェイの多重化リンク情報管理部２のテーブル＃４と呼状態管理部１のテーブル＃１とを更新することができる。これらテーブルの更新情報は、通話分配機能部４に通知され、出力トランク回線への分配に用いられる。
【００４１】
前述した本発明の網接続装置の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【００４２】
【発明の効果】
以上、詳細に説明したように、本発明の多重化リンクを設定する網接続装置によれば、１つのＩＰパケット内に多重化される呼は、同じ属性を有するものであるので、多重化されたＩＰパケットの送出タイミング又は送出数の最適化が可能となる。また、複数の多重化リンク群同士で同じ呼番号を用いることができるので、ショートパケットヘッダの呼番号を示すビット数を節約することもできる。更に、接続中の呼の呼種の変化、即ち符号化方式の変更がある場合にも、その符号化方式に適した多重化リンクへ当該呼を即時に再配置することができる。更に、無駄な多重化リンクが存在しないように、一定の場合に多重化リンク群内の全体に渡って呼を再配置をすることができる。
【００４３】
従って、本発明は、呼の多重化に適した構成を有し、呼接続中の呼種の変化による符号化方式の変更、又は多重化効率の最適化に対応できる網接続装置を提供することができる。
【図面の簡単な説明】
【図１】網接続装置が用いられたシステム構成図である。
【図２】従来の網接続装置の構成図である。
【図３】ＩＰパケットの構成図である。
【図４】本発明による網接続装置の構成図である。
【図１】
0003687471.tif 000007
【図２】
0003687471.tif 000008
【図３】
0003687471.tif 000009
【図４】
0003687471.tif 000010